【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】  双方向通信システムにおいて、パケット化されたデータを異なるネットワークの間で、通信プロトコルの階層化レイヤを使用して通信するための方法であって、
受信された第１のプロトコル・レイヤ内のＩＰパケット宛先アドレスを所定のＩＰアドレスと比較して、アドレス整合があるかどうかを決定するステップと、
前記アドレス整合に応答して、前記受信されたＩＰパケットのペイロードをインターネット・ネットワークからローカル・ネットワークへ、第２のプロトコル・レイヤ・アドレスを受信された第２のプロトコル・レイヤ・アドレスの代わりに使用することによって、リダイレクトするステップと
を備えることを特徴とする方法。
【請求項２】  アドレス整合がなかった場合、
前記受信されたＩＰパケットの前記ペイロードは、前記ローカル・ネットワークとは異なる宛先に向けて送られて、前記ローカル・ネットワークにより実行される異なる第２のアプリケーションと同時に動作する第１のアプリケーションがサポートされることを特徴とする請求項１に記載の方法。
【請求項３】  前記第１のアプリケーションは、（ａ）ｗｅｂサーフィン・アプリケーション、（ｂ）Ｅメール、（ｃ）インターネット電話／テレビ電話のうち１つであり、
前記第２のアプリケーションは、（ｉ）家電製品コントロール、（ｉｉ）周辺装置コントロールおよび（ｉｉｉ）診断機能のうち１つである
ことを特徴とする請求項２に記載の方法。
【請求項４】  前記第２のプロトコル・レイヤ・アドレスは、（ＭＡＣ）アドレスであることを特徴とする請求項１に記載の方法。
【請求項５】  前記双方向通信システムはケーブル・モデムであり、
前記リダイレクトされたペイロードの受信に応答して、アプリケーションを開始するステップを備えることを特徴とする請求項１に記載の方法。
【請求項６】  前記リダイレクトするステップは、前記受信されたＩＰパケットのペイロードを第１のネットワークから通信バッファへリダイレクトして、（ａ）家電製品コントロール、（ｂ）周辺装置コントロール、（ｃ）通信機能、（ｄ）診断機能および（ｅ）セキュア・プライベート・インターネットまたはイントラネット通信機能、のうち１つまたは複数を備えるローカル・アプリケーションをサポートすることを特徴とする請求項１に記載の方法。
【請求項７】  インターネット・プロトコル（ＩＰ）を使用する双方向通信デバイスにおいて、ＩＰデータを処理するための方法であって、
受信された第１のプロトコル・レイヤ内のＩＰパケットのＩＰ宛先アドレスを所定のＩＰアドレスと比較して、アドレス整合があるかどうかを決定するステップと、
前記受信されたＩＰパケットのペイロードを、前記アドレス整合に応答して決定された第２のプロトコル・レイヤ（ＭＡＣ）アドレスを使用してリダイレクトするステップと
を備えることを特徴とする方法。
【請求項８】  前記第２のプロトコル・レイヤ（ＭＡＣ）アドレスを使用した前記リダイレクトされたペイロードを、受信するステップと、
前記リダイレクトされたペイロードの受信に応答して、アプリケーションを開始するステップとを備えることを特徴とする請求項７に記載の方法。
【請求項９】  前記所定のＩＰアドレスは、プライベートかつ非公開のインターネット使用向けに指定された１つまたは複数のアドレスのクラス内であることを特徴とする請求項７に記載の方法。
【請求項１０】  前記リダイレクトするステップにおいて、
前記リダイレクトするステップは、前記第２のプロトコル・レイヤ（ＭＡＣ）アドレスを、受信された第２のプロトコル・レイヤ（ＭＡＣ）アドレスの代わりに使用するステップ
を備えることを特徴とする請求項７に記載の方法。
【請求項１１】  前記リダイレクトするステップは、前記受信されたＩＰパケットのペイロードを第１のネットワークから異なる第２のネットワークへ、パケット毎にリダイレクトすることを特徴とする請求項７に記載の方法。
【請求項１２】  前記受信されたＩＰパケットの前記ペイロードは、第１の公的なインターネット・ネットワークから、（ａ）イーサネット（登録商標）ネットワーク、（ｂ）ユニバーサル・シリアルバス（ＵＳＢ）ネットワークおよび（ｃ）ホーム・フォンライン・ネットワーキング・アライアンス（Home Phoneline Networking Alliance）（ＨＰＮＡ）ネットワークのうち１つを備える第２のローカル・ネットワークへリダイレクトされることを特徴とする請求項１１に記載の方法。
【請求項１３】  前記リダイレクトするステップは、前記受信されたＩＰパケットのペイロードを第１のネットワークから前記双方向通信デバイス内の通信バッファへリダイレクトすることを特徴とする請求項７に記載の方法。
【請求項１４】  前記リダイレクトするステップが、前記受信されたＩＰパケットのペイロードを第１のネットワークから前記双方向通信デバイス内の通信バッファへリダイレクトして、（ａ）家電製品コントロール、（ｂ）周辺装置コントロール、（ｃ）通信機能、（ｄ）診断機能および（ｅ）セキュア・プライベート・インターネットまたはイントラネット通信機能のうち１つまたは複数を備えるローカル・アプリケーションをサポートすることを特徴とする、請求項１３に記載の方法。
【請求項１５】  受信された個々のＩＰパケットについて、前記リダイレクトするステップは、前記受信されたＩＰパケットのペイロードを第１のネットワークから前記双方向通信デバイス内の通信バッファへ、受信された第２のプロトコル・レイヤ（ＭＡＣ）アドレスの代わりに前記第２のプロトコル・レイヤ（ＭＡＣ）アドレスを使用することによって、リダイレクトすることを特徴とする、請求項１３に記載の方法。
【請求項１６】  前記双方向通信デバイスは、ケーブル・モデムであることを特徴とする請求項１３に記載の方法。
【請求項１７】  前記第２のプロトコル・レイヤ（ＭＡＣ）アドレスは、前記受信されたＩＰパケット宛先アドレスを前記第２のプロトコル・レイヤ（ＭＡＣ）アドレスにマッピングするデータベースから決定されることを特徴とする請求項７に記載の方法。
【請求項１８】  前記第２のプロトコル（ＭＡＣ）レイヤは、前記ＩＰレイヤとは異なる階層通信レイヤであることを特徴とする請求項７に記載の方法。
【請求項１９】  インターネット・プロトコル（ＩＰ）を使用する双方向通信デバイスにおいて、アプリケーションを開始するための方法であって、
受信されたＩＰパケット宛先アドレスを所定のＩＰアドレスと比較して、アドレス整合があるかどうかを決定するステップと、
前記アドレス整合がないときに前記受信されたＩＰパケットのペイロード・データを第１の宛先に搬送するステップと、
前記アドレス整合に応答して、前記受信されたＩＰパケットの前記ペイロード・データを第２の宛先に搬送し、アプリケーションを開始するステップと
を備えることを特徴とする方法。
【請求項２０】  前記受信されたＩＰパケットの前記ペイロード・データは前記双方向通信デバイス内の通信バッファに搬送されて、前記アプリケーションがサポートされることを特徴とする請求項１９に記載の方法。
【請求項２１】  前記アプリケーションは、（ａ）家電製品コントロール、（ｂ）周辺装置コントロール、（ｃ）通信機能、（ｄ）診断機能および（ｅ）セキュア・プライベート・インターネットまたはイントラネット通信機能のうち１つまたは複数を備えることを特徴とする請求項１９に記載の方法。
【請求項２２】  双方向通信システムにおいて、パケット化されたデータを異なるネットワークの間で、通信プロトコルの階層化レイヤを使用して通信するための方法であって、
ドメイン名がドメイン名データベースにおける所定のエントリに整合した場合、ドメイン名解決要求をインターセプトするステップと、
前記インターセプトされたドメイン名を所定のＩＰアドレスに変換するステップと、
前記インターセプトされたドメイン名を宛先とする、受信されたＩＰパケットのペイロードをリダイレクトするステップとを備えることを特徴とする方法。
【請求項２３】  前記リダイレクトするステップは、
受信されたＭＡＣレイヤ・アドレスの代わりに異なるＭＡＣレイヤ・アドレスを使用するステップを備えることを特徴とする、請求項２２に記載の方法。
【請求項２４】  前記所定のＩＰアドレスを要求側クライアントに通信するステップを備えることを特徴とする請求項２２に記載の方法。
【請求項２５】  前記第２のプロトコル・レイヤ・アドレスは、前記パケット化されたデータのパケットにおいて代わりに使用され、および
前記受信された第２のプロトコル・レイヤ・アドレスは、前記ローカル・ネットワークで受信された宛先に対応し、
第２のプロトコル・レイヤ・アドレスと受信された第２のプロトコル・レイヤ・アドレスは、第１のプロトコル・レイヤと異なる第２のプロトコル・レイヤ内に存在することを特徴とする請求項１に記載の方法。
【請求項２６】  前記ＩＰデータは、通信プロトコルの階層化レイヤの形式で構造化され、前記アドレス整合に基づいて、前記ＩＰアドレスは、第２のプロトコル・レイヤに存在する第２のプロトコル・レイヤ（ＭＡＣ）宛先アドレスに割り当てられることを特徴とする請求項７に記載の方法。
【請求項２７】  前記受信されたＩＰパケットは、前記第２のプロトコル・レイヤ（ＭＡＣ）宛先アドレスを使用して、前記第２のプロトコル・レイヤ宛先アドレスに対応するアプリケーションを実行するデバイスにリダイレクトされることを特徴とする請求項２６に記載の方法。